(57)【要約】【課題】カメラに高圧シンクロ回路を有する閃光装置が接続された場合において、確実に閃光発光を行うことができると共に、低圧シンクロ用に設けられたシンクロ用半導体素子を破壊したり、小型化を損なうことを防止する。【解決手段】シンクロ端子ＸＣＴに接続される第１のシンクロ用半導体スイッチ素子３７と、第１のシンクロ用半導体スイッチ素子に並列に接続される第２のシンクロ用半導体スイッチ素子４１と、シャッタの動作に先立って前記シンクロ端子に閃光装置より印加される電圧を判別する判別手段４４，３０とを有し、前記シンクロ端子の電圧が所定値より高いと判定された場合は、第１のシンクロ用半導体スイッチ素子の作動を禁止すると共に第２のシンクロ用半導体スイッチ素子の作動を許可する。【選択図】図１
2005215259.tif 000002
【特許請求の範囲】
【請求項１】
外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、
前記判別手段により前記シンクロ端子の電圧が所定値より高いと判定された場合は、前記第１のシンクロ用半導体スイッチ素子の作動を禁止すると共に前記第２のシンクロ用半導体スイッチ素子の作動を許可することを特徴とするカメラ。
【請求項２】
外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、
前記判別手段により前記シンクロ端子の電圧が所定値より低いと判定された場合は、前記第１のシンクロ用半導体スイッチ素子の作動を許可すると共に前記第２のシンクロ用半導体スイッチ素子の作動を禁止することを特徴とするカメラ。
【請求項３】
外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、
前記判別手段により前記シンクロ端子の電圧が所定値より高いと判定された場合は、前記第１のシンクロ用半導体スイッチ素子の作動を禁止すると共に前記第２のシンクロ用半導体スイッチ素子の作動を許可し、
前記判別手段により前記シンクロ端子の電圧が所定値より低いと判定された場合は、前記第１のシンクロ用半導体スイッチ素子の作動を許可すると共に前記第２のシンクロ用半導体スイッチ素子の作動を禁止することを特徴とするカメラ。
【請求項４】
前記第１の半導体スイッチ素子のオン電圧は、前記第２の半導体スイッチ素子に比べて低いことを特徴とする請求項１乃至３のいずれかに記載のカメラ。
【発明の詳細な説明】
【技術分野】
【０００１】
本発明は、閃光装置用シンクロ回路を有するカメラに関するものである。
【背景技術】
【０００２】
従来、所謂低圧シンクロ回路を有する閃光装置（後述する図１がこの種の装置の一例である）と高圧シンクロ回路を有する閃光装置（後述する図２がこの種の装置の一例である）との両者に対応可能なカメラのシンクロ回路を開示した先行技術として、特許文献１がある。
【特許文献１】特公平６−２９９３２号公報
【発明の開示】
【発明が解決しようとする課題】
【０００３】
上記特許文献１に示される第１図あるいは第２図からも明らかなように、高圧シンクロ回路を有する閃光装置が接続されると、まずトランジスタ１（不図示）がオンし、その後ＳＣＲ（サイリスタ）２（不図示）がオンとなり、閃光放電管にトリガ電圧が与えられ、該閃光放電管の発光が開始される。このようにトランジスタ１がオンの時に短時間ではあるが該トランジスタ１には大電流が流れ、その後ＳＣＲ２がオンになると推測できる。従って、トランジスタ１は大電流を流せるものでければならない。つまり、従来においては、トランジスタ１として、高圧シンクロ回路の高圧に耐え、しかもオン時には大電流を流せる大型のトランジスタにする必要があった。
【課題を解決するための手段】
【０００４】
上記課題を解決するために、請求項１に記載の発明は、外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、前記判別手段により前記シンクロ端子の電圧が所定値より高いと判定された場合は、前記第１のシンクロ用半導体スイッチ素子の作動を禁止すると共に前記第２のシンクロ用半導体スイッチ素子の作動を許可するカメラとするものである。
【０００５】
また、請求項２に記載の発明は、外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、前記判別手段により前記シンクロ端子の電圧が所定値より低いと判定された場合は、前記第１のシンクロ用半導体スイッチ素子の作動を許可すると共に前記第２のシンクロ用半導体スイッチ素子の作動を禁止するカメラとするものである。
【０００６】
また、請求項３に記載の発明は、外部から装着される閃光装置用のシンクロ端子と、該シンクロ端子に接続される第１のシンクロ用半導体スイッチ素子と、該第１のシンクロ用半導体スイッチ素子に並列に接続される第２のシンクロ用半導体スイッチ素子と、シャッタの動作に先立って前記シンクロ端子に前記閃光装置より印加される電圧を判別する判別手段とを有し、前記判別手段により前記シンクロ端子の電圧が所定値より高いと判定された場合は、前記第１のシンクロ用半導体スイッチ素子の作動を禁止すると共に前記第２のシンクロ用半導体スイッチ素子の作動を許可し、前記判別手段により前記シンクロ端子の電圧が所定値より低いと判定された場合は、前記第１のシンクロ用半導体スイッチ素子の作動を許可すると共に前記第２のシンクロ用半導体スイッチ素子の作動を禁止するカメラとするものである。
【発明の効果】
【０００７】
請求項１に記載の発明によれば、カメラに高圧シンクロ回路を有する閃光装置が装着された場合において、確実に閃光発光を行うことができると共に、低圧シンクロ用に設けられた第１のシンクロ用半導体素子を破壊したり、小型化を損なうことのないカメラを提供できるものである。
【０００８】
また、請求項２に記載の発明によれば、カメラに低圧シンクロ回路を有する閃光装置が接続された場合において、確実に閃光発光を行うことができるカメラを提供できるものである。
【０００９】
また、請求項３の発明によれば、カメラに高圧シンクロ回路を有する閃光装置が接続された場合と、カメラに低圧シンクロ回路を有する閃光装置が接続された場合との何れの場合にも、閃光装置を確実に発光させることができ、かつ、低圧シンクロ用に設けられた第１のシンクロ用半導体素子を破壊したり、小型化を損なうことのないカメラを提供できるものである。
【発明を実施するための最良の形態】
【００１０】
以下の一実施例に示す通りである。
【実施例】
【００１１】
以下に、発明を実施するための最良の形態としての一実施例を、図１ないし図３を用いて説明する。図１は、本発明の一実施例に係わるカメラ（点線より下側に示す）及び低圧シンクロ回路を有する第１の閃光装置（点線より上側に示す）の回路構成を示すブロック図であり、図２は、本発明の一実施例に係わる図１と同様のカメラ（点線より下側に示す）及び高圧シンクロ回路を有する第２の閃光装置（点線より上側に示す）の回路構成を示すブロック図である。また、図３は、図１及び図２のカメラ側の動作を示すフローチャートである。
【００１２】
まず、図１に示す第１の閃光装置の回路構成から説明をする。
【００１３】
同図において、１は電源電池である。２は電源スイッチであり、一端は電源電池１のプラス極に、他端は後述の昇圧回路３及びＤＣ／ＤＣコンバータ４の入力に、それぞれ接続されている。３は公知の昇圧回路であり、入力が電源スイッチ２に接続され、出力が後述のメインコンデンサ１９のプラス極に接続され、メインコンデンサ１９を約３００Ｖの高圧に充電する。４はＤＣ／ＤＣコンバータであり、入力は電源スイッチ２の一端に接続され、出力が後述のマイコン５の電源端子ＶＤＤに接続され、第１の閃光装置の後述するマイクロコンピュータ（以下、マイコン）５等に給電するものである。また、このＤＣ／ＤＣコンバータ４の出力は１．５Ｖに設定してある。５はマイコンであり、電源端子ＶＤＤがＤＣ／ＤＣコンバータ４の出力に、ＧＮＤ端子が電源電池１のマイナス極に、それぞれ接続されている。６は抵抗であり、一端はマイコン５のポートＰ２に、他端は後述のＬＥＤ（発光ダイオード）７のアノードに、それぞれ接続されている。７は後述のメインコンデンサ１９の充電が完了したときに点灯するＬＥＤであり、アノードが抵抗６に、カソードが電源電池１のマイナス極に、それぞれ接続されている。８はコンデンサであり、一端が後述のトランジスタ９のエミッタに、他端が電源電池１のマイナス極に、それぞれ接続されている。
【００１４】
９はＰＮＰトランジスタであり、エミッタがコンデンサ８のプラス極に、コレクタが後述の抵抗１２に、ベースが後述の抵抗１０に、それぞれ接続されている。１０は抵抗であり、一端がＰＮＰトランジスタ９のベースに、他端が後述のダイオード１１のアノードに、それぞれ接続されている。前記抵抗１０の抵抗値は１ｋΩに設定されている。１１はダイオードであり、アノードが抵抗１０に、カソードが後述のシンクロ端子ＸＦＴに、それぞれ接続されている。このダイオード１１を設けているのは、第１の閃光装置が所謂シンクロ用ＰＣ端子を有するカメラのアクセサリシューに接続され、ＰＣ端子に所謂高圧シンクロの第２の閃光装置が接続された時、トランジスタ９が高圧により破壊されるのを防ぐためである。シンクロ用ＰＣ端子とは、閃光装置を直接装着するアクセサリシューのシンクロ端子と並列に接続されている閃光装置用端子であり、アクセサリシューに第１の閃光装置を接続し、ＰＣ端子にコードを介して第２の閃光装置を接続することで同時に２つの閃光装置を発光させることが可能である。低圧シンクロ回路を備える第１の閃光装置がアクセサリシューに接続され、高圧シンクロ回路を備えた第２の閃光装置がＰＣ端子に接続された場合、両端子が並列接続であるため、低圧シンクロ回路に高圧が印加されてしまう恐れがあるので、上述したようにダイオード１１を設けている。ＸＦＴは閃光装置側のシンクロ端子であり、カメラのアクセサリシューに設けられた後述のシンクロ端子ＸＣＴに接続される。なお、第１の閃光装置の足部のシンクロ端子ＸＦＴと後述のグランド端子ＧＦＴ、及び、後述のカメラのアクセサリシュー側のシンクロ端子ＸＣＴとグランド端子ＧＣＴは汎用性を持たせるため、閃光装置あるいはカメラの機種によらず一般に決まった位置に設けられている。１２は抵抗であり、一端がトランジスタ９のコレクタに、他端が後述のＳＣＲ１５のゲートに、それぞれ接続されている。１３は抵抗であり、一端がＳＣＲ１５のゲートに、他端がカソードに、それぞれ接続されている。
【００１５】
１４は抵抗であり、一端がＳＣＲ１５のアノードに、他端がメインコンデンサ１９のプラス極に、それぞれ接続されている。この抵抗１４は１ＭΩに設定されている。１５はＳＣＲであり、ゲートが抵抗１２及び１３の接続点に、カソードがメインコンデンサ１９のマイナス極に、アノードが後述のコンデンサ１６の一端に、それぞれ接続されている。１６はトリガ用コンデンサであり、一端がＳＣＲ１５のアノードに、他端が後述のトリガトランス１７の１次巻線の一端に、それぞれ接続されている。１７はトリガトランスであり、１次側の一端がコンデンサ１６の一端に、１次側と２次側の接続点がメインコンデンサ１９のマイナス極に、２次側が後述の閃光放電管１８のトリガ端子に、それぞれ接続されている。１８は閃光放電管であり、アノードがメインコンデンサ１９のプラス極に、カソードがマイナス極に、それぞれ接続されている。１９はメインコンデンサであり、閃光放電管１８と並列に接続されている。２０は抵抗であり、一端がメインコンデンサ１９のプラス極に、他端が後述の抵抗２１に、それぞれ接続されている。２１は抵抗であり、一端が抵抗２０の一端に、他端がメインコンデンサ１９のマイナス極に、それぞれ接続されている。また、抵抗２０と抵抗２１の接続点がマイコン５のポートＰ１と接続されている。ＧＦＴはグランドに接続されたグランド端子であり、後述のカメラ側のグランド端子ＧＣＴに接続されている。
【００１６】
次に、図１に示すカメラ側の回路構成について説明する。
【００１７】
３０はカメラ側のマイコンであり、後述の複数のポート群と複数のポートを有している。３１は絞り制御回路、３２はシャッタ制御回路である。なお、マイコン３０、絞り制御回路３１及びシャッタ制御回路３２は不図示の電源電池により給電されている。３３はカメラのシャッタボタンの半押し状態でオンとなるスイッチであり、一端がマイコン３０のポートＰ１に、他端がグランドに、それぞれ接続されている。３４はカメラのシャッタボタンの全押し状態でオンとなるスイッチであり、一端がマイコン３０のポートＰ２に、他端がグランドに、それぞれ接続されている。３５はシャッタが全開となった時所定時間オンとなるスイッチであり、一端がマイコン３０のポートＰ３に、他端がグランドに、それぞれ接続されている。３６は抵抗であり、一端がマイコン３０のポートＰ６に、他端が第１の半導体スイッチ素子である後述のトランジスタ３７に、それぞれ接続されている。３７は高耐圧のＮＰＮトランジスタであり、ベースが抵抗３６に、エミッタがグランドに、コレクタがシンクロ端子ＸＣＴに、それぞれ接続されている。このトランジスタ３７は、カメラのシンクロ端子ＸＣＴに所謂高圧シンクロ回路を有する、後述の図２に示すような第２の閃光装置が接続されても破壊されないように、オフ時の耐圧は３５０Ｖ以上の高耐圧となっている。
【００１８】
３８はダイオードであり、アノードがグランドに、カソードがシンクロ端子ＸＣＴに、それぞれ接続されている。このダイオード３８は、シンクロ端子ＸＣＴにマイナスの電位を与えるような閃光装置が接続された時に、前記トランジスタ３７が破壊されるのを防ぐために設けられている。３９は抵抗であり、一端がマイコン３０のポートＰ５に、他端が後述の第２のシンクロ用半導体スイッチ素子であるＳＣＲ４１のゲートに、それぞれ接続されている。４０は抵抗であり、一端がＳＣＲ４１のゲートに、他端がグランドに、それぞれ接続されている。４１は高耐圧のＳＣＲであり、ゲートが抵抗３９と４０の接続点に、カソードがグランドに、アノードがシンクロ端子ＸＣＴに、それぞれ接続されている。このＳＣＲ４１も、オフ時の耐圧は３５０Ｖ以上の高耐圧となっている。４２は抵抗であり、一端が後述の抵抗４３に、他端がシンクロ端子ＸＣＴに、それぞれ接続されており、本実施例では抵抗値は９ＭΩに設定されている。４３は抵抗であり、一端が抵抗４２の一端に、他端がグランドに、それぞれ接続されており、本実施例では抵抗値は１ＭΩに設定されている。
【００１９】
４４はコンパレータであり、不図示の電源電池にて給電されており、プラス入力は抵抗４２と４３の接続点に、マイナス入力は基準電圧源Ｖｒｅｆに、出力はマイコン３０のポート４に、それぞれ接続されている。シンクロ端子ＸＣＴが１０Ｖを超すとき、コンパレータ４４の出力がローレベルからハイレベルに変化する。即ち、Ｖｒｅｆは１Ｖに設定されている。ここで、コンパレータ４４はシンクロ端子ＸＣＴの電圧を検出し、基準電圧源Ｖｒｅｆとの比較を行うものである。後述のように、コンパレータ４４の出力がローレベルであることはシンクロ端子に低圧シンクロ回路を有する第１の閃光装置が接続されたことを意味し、出力がハイレベルのときは高圧シンクロ回路を有する後述の第２の閃光装置が接続されたことを意味する。
【００２０】
マイコン３０のポート群ＣＬ１は絞り制御回路３１に接続され、ポート群ＣＬ２はシャッタ制御回路３２に接続されている。
【００２１】
次に、図１における低圧シンクロ回路を有する第１の閃光装置の動作について述べる。
【００２２】
電源スイッチ２がオンになると、昇圧回路３及びＤＣ／ＤＣコンバータ４が動作を開始し、メインコンデンサ１９の充電が開始されると共にマイコン５も電源端子ＶＤＤに電圧が与えられ、動作を開始する。抵抗２０と２１の接続点の電圧をマイコン５のポートＰ１にて検出し、メインコンデンサ１９の充電電圧が閃光放電管１８の発光に適した所定値に達すると、マイコン５はポートＰ２をハイレベルにし、ＬＥＤ７を点灯させてメインコンデンサ１９の充電が完了したことを示す。
【００２３】
ここで、カメラ側のシンクロ端子ＸＣＴを０．３Ｖ以下にすると、発光を開始する。これは、コンデンサ８の電圧は１．５Ｖであり、トランジスタ９のベース・エミッタ間電圧は０．６Ｖであり、ダイオード１１のアノード・カソード間電圧は０．６Ｖであるので、コンデンサ８の電圧からトランジスタ９のエミッタ・ベース間電圧とダイオード１１のアノード・カソード間電圧との和を差し引いた値０．３Ｖより低くないと、トランジスタ９のベース電流は流れないからである。シンクロ端子ＸＣＴが０．３Ｖより低くなると、トランジスタ９のベース電流が流れ、該トランジスタ９がオンとなるのでＳＣＲ１５のゲート電流が流れ、抵抗１４、ＳＣＲ１５、コンデンサ１６、トリガトランス１７で構成される公知のトリガ回路が作動し、閃光放電管１８のトリガ電極に高周波高電圧が与えられるので、該閃光放電管１８はメインコンデンサ１９の電荷を放電し、発光を開始する。つまり、カメラに設けられているシンクロ端子ＸＣＴにコレクタが接続されたトランジスタ３７がオンになれば、そのオン電圧が０．２Ｖなので前記シンクロ端子ＸＣＴが０．３Ｖ以下となり、上記のようにして閃光放電管１８が発光を開始するのである。この時のトランジスタ３７に流れる電流は１００μＡなので、該トランジスタ３７は小型のトランジスタで良いことになる。また、該トランジスタ３７を、ＳＣＲ、ＴＲＩＡＣあるいはＩＧＢＴに置き換えると、これらの素子はオン電圧が０．６Ｖ以上あるので閃光発光は行われない。
【００２４】
次に、図２に示す高圧シンクロ回路を有する第２の閃光装置の回路構成について説明する。なお、図１の第１の閃光装置に付した番号と同じ機能の素子は同じ機能を有し、その詳細は省略する。また、図２に示すカメラの回路構成は図１と全く同一であるのでその説明についても省略する。
【００２５】
図２において、２２は抵抗であり、一端がメインコンデンサ１９のプラス極に、他端が後述のネオン管２３のアノードに、それぞれ接続されている。２３はネオン管であり、第２の閃光装置が発光可能となるメインコンデンサ電圧に達すると、すなわちメインコンデンサ１９の充電が完了すると点灯する。シンクロ端子ＨＸＦＴはカメラのシンクロ端子ＸＣＴと、グランド端子ＨＧＦＴはカメラのグランド端子ＧＣＴと、それぞれ接続される。
【００２６】
次に、上記構成における第２の閃光装置の動作について述べる。
【００２７】
電源スイッチ２がオンになると、昇圧回路３が動作を開始し、メインコンデンサ１９の充電が開始される。メインコンデンサ１９の充電が完了するとネオン管２３が点灯する。この時のメインコンデンサ１９の電圧は２７０Ｖになるようにネオン管２３の点灯電圧を設定してある。従って、この電圧が抵抗１４を介してシンクロ端子ＨＸＦＴに与えられる。シンクロ端子ＨＸＦＴをカメラのＳＣＲ４１に接続し、該ＳＣＲ４１をオンすると、トリガコンデンサ１６の電荷がＳＣＲ１６及びトリガトランス１７の１次巻線を介して流れ、トリガトランス１７の２次側、即ち閃光放電管１８のトリガ電極に高周波高圧が印加され、閃光放電管１８は発光を開始する。この時のＳＣＲ４１のオン電圧は数Ｖである。また、オン電流は数十Ａになる。従って、ＳＣＲ４１を小型のトランジスタに置き換えると破壊してしまう。
【００２８】
次に、図３のフローチャートにしたがってカメラの動作について説明する。この実施例でのカメラは、手動で絞り及びシャッタスピードを設定するタイプであり、予め閃光発光に適した絞り及びシャッタスピードに手動で設定されているものとする。
【００２９】
カメラの不図示の電源スイッチが投入されると、マイコン３０はステップ１０１より動作を開始する。この時、カメラのマイコン３０のポートＰ５及びポート６はローレベルになっている。次のステップ１０２では、レリーズボタンの半押し状態でオンとなるスイッチ３３の状態を検出し、オフの時はオンするまでのこのステップに留まる。その後、スイッチ３３がオンするとステップ１０３へ進み、不図示の表示装置を駆動して、手動設定されている絞り値及びシャッタ秒時を表示する。
【００３０】
次のステップ１０４では、レリーズボタンの全押し状態でオンとなるスイッチ３４がオンになっているかを判定し、オフの時はオンするまでのこのステップに留まる。その後、スイッチ３４がオンするとステップ１０５へ進み、予め設定されている絞り値に基づいて絞り制御回路３１を介して絞りの制御を行う。そして、次のステップ１０６にて、コンパレータ４４の出力をポートＰ４にて判定する。この結果、ポートＰ４がローレベルであればステップ１０７へ進み、そうでないとき、即ちハイレベルであればステップ１１４へ進む。
【００３１】
ここで、カメラに対し、図１に示す第１の閃光装置が接続されていれば、前述したようにシンクロ端子ＸＣＴの電圧は約０．３Ｖであるので、コンパレータ４４の出力はローレベルとなっており、一方、図２に示す第２の閃光装置が接続されていると、メインコンデンサ１９の充電が完了している状態では端子ＸＣＴの電圧は１０Ｖ以上となるので、コンパレータ４４の出力はハイレベルとなっている。即ち、コンパレータ４４の出力がローレベル（ポートＰ４がローレベル）であることはシンクロ端子に低圧シンクロ回路を有する第１の閃光装置が接続されたことを意味し、コンパレータ４４の出力がハイレベル（ポートＰ４がハイレベル）のときは高圧シンクロ回路を有する第２の閃光装置が接続されたことを意味する。
【００３２】
上記ステップ１０６にて前記ポートＰ４がローレベルであると判定、つまりシンクロ端子に低圧シンクロ回路を有する第１の閃光装置が接続されたと判定した場合は、前述したようにステップ１０７へ進み、ここではシャッタ制御回路３２を介してシャッタの開動作を開始する。そして、次のステップ１０８にて、スイッチ３５の状態をポートＰ３で検出し、スイッチ３５がオフの場合はこのステップに留まり、その後オンすることよりステップ１０９へ進む。ステップ１０９へ進むと、上記ステップ１０６での検出結果に基づきポートＰ６をハイレベルとする。すると、シンクロ信号としての前記ハイレベル信号によりトランジスタ３７がオンし、第１の閃光装置が接続されていれば前述のように閃光放電管１８が発光を開始することになる。
【００３３】
次のステップ１１０では、再度スイッチ３５の状態をポートＰ３で検出し、このスイッチ３５がオンの場合はこのステップに留まり、その後オフすることよりステップ１１１へ進む。ステップ１１１へ進むと、ポートＰ６をローレベルとし、続くステップ１１２にて、シャッタを閉じる。そして、次のステップ１１３にて、一連の動作を終了する。
【００３４】
また、前記ポートＰ４がハイレベルであると判定、つまりシンクロ端子に高圧シンクロ回路を有する第２の閃光装置が接続されたと判定した場合は、前述したようにステップ１０６からステップ１１４へ進み、ここではシャッタの開動作を開始する。そして、次のステップ１１５にて、スイッチ３５の状態をポートＰ３で検出し、スイッチ３５がオフの場合はこのステップに留まり、その後オンすることよりステップ１１６へ進む。ステップ１１６へ進むと、上記ステップ１０６での検出結果に基づきポートＰ５をハイレベルとする。すると、シンクロ信号としての前記ハイレベル信号によりＳＣＲ４１がオンし、第２の閃光装置が接続されていれば前述のように閃光放電管１８が発光を開始する。
【００３５】
次のステップ１１７では、再度スイッチ３５の状態をポートＰ３で検出し、スイッチ３５がオンの場合はこのステップに留まり、その後オフすることよりステップ１１８へ進む。ステップ１１８へ進むと、ポートＰ５をローレベルとし、続くステップ１１９にて、シャッタを閉じる。そして、次のステップ１２０にて、一連の動作を終了する。
【００３６】
以上のように、本実施例によれば、カメラに対し、低圧シンクロ回路を有する第１の閃光装置または高圧シンクロ回路を有する第２の閃光装置のいずれが接続されたとしても、確実に閃光発光を行うことができる。また、高圧シンクロ回路を有する第２の閃光装置がカメラに接続された場合であっても、低圧シンクロ回路用に設けられたシンクロ用半導体素子であるトランジスタ３７として３５０Ｖ以上の高耐圧のものが用いられているので、該トランジスタ３７が破壊されてしまうことはなく、又該トランジスタ３７に閃光放電管１８を発光させる際に流れる電流は１００μＡであるので、該トランジスタ３７を小型なものにすることができる。また、前記ＳＣＲ４１は大電流は流せるが一般に小型の素子が使用できる。つまり、接続される閃光装置側のシンクロ回路の種別によらず、正常にシンクロ回路を動作させて閃光撮影を行うことができると共に、カメラ側のシンクロ用半導体スイッチ素子として小型の素子を使用可能となるカメラとすることができる。
【００３７】
なお、図１及び図２において、トランジスタ３７の代わりにＦＥＴを用いても、上記と同様の結果を得ることができる。また、ＳＣＲ４１の代わりに、ＴＲＩＡＣあるいはＩＧＢＴを用いても、上記と同様の効果を得ることができる。
【図面の簡単な説明】
【００３８】
【図１】本発明の一実施例におけるカメラ及び第１の閃光装置の回路構成を示すブロック図である。
【図２】本発明の一実施例におけるカメラ及び第２の閃光装置の回路構成を示すブロック図である。
【図３】本発明の一実施例に係わるカメラの動作を示すフローチャートである。
【符号の説明】
【００３９】
１      電源電池
３      昇圧回路
４      ＤＣ／ＤＣコンバータ
５      マイコン
１７    トリガトランス
１８    閃光放電管
１９    メインコンデンサ
３０    マイコン
３７    トランジスタ
４１    ＳＣＲ
【図１】
2005215259.tif 000003
【図２】
2005215259.tif 000004
【図３】
2005215259.tif 000005